(57)【特許請求の範囲】
【請求項１】
カメラの光学系を構成するレンズユニットと、
前記レンズユニットを収容すると共にカメラ用アクチュエータの光軸方向に沿って移動可能なホルダと、
前記ホルダに設けられているコイルと、
前記コイルに磁界を提供するヨーク及びマグネットと、
前記ホルダを支持する板バネと、
金属板から形成され、前記ホルダを覆うとともに、前記レンズユニットに外光を導入するための開口部が形成されたカバーと、
前記カバーとの間に間隙が形成されるように前記ホルダに設けられているストッパとを有し、
前記ホルダが急激に変位し前記ストッパと前記カバーとが接触した際に前記カバーが弾性変形するように構成されており、
前記カバーは、さらに、カメラ用アクチュエータの組立時に、前記板バネを前記ヨークに対して付勢するように前記板バネ側に傾斜した押え板を備えていることを特徴とするカメラ用アクチュエータ。
【請求項２】
前記ストッパは非磁性体の金属板から形成されていることを特徴とする請求項１記載のカメラ用アクチュエータ。
【請求項３】
前記カバー及びストッパはステンレス製金属板から形成されていることを特徴とする請求項１記載のカメラ用アクチュエータ。
【請求項４】
前記カバーは、中央部に前記レンズユニットに外光を導入するための前記開口部が形成された略矩形状の上板と、該上板の外側４辺から前記ホルダを覆うように下方に連接される４つの側板と、前記上板の開口部の縁部の一部が下方に切欠かれて形成された切欠き部とを有しており、
前記カバーの切欠き部と前記ストッパとの間の間隙には、ゲル状の樹脂がまたがるように付着されていることを特徴とする請求項１記載のカメラ用アクチュエータ。
【請求項５】
前記カメラ用アクチュエータは、さらにベースを備え、前記カバーは前記ベースと係合手段により結合されている請求項１記載のカメラ用アクチュエータ。
【発明の詳細な説明】
【技術分野】
【０００１】
本発明は、カメラ用アクチュエータに関し、さらに詳しくは、比較的小型のデジタルカメラやカメラ付携帯電話などのカメラ付き小型電子機器に用いることができるカメラ用アクチュエータに関する。
【背景技術】
【０００２】
比較的小型のデジタルカメラなどにおいて、オートフォーカスおよびズームを目的として、コイルに流れる電流により発生する磁界と、マグネットによる磁界との相互作用によって、光軸方向にレンズを移動させることができるカメラ用アクチュエータが使用されている。また、最近では、携帯電話に搭載されている小型のカメラも、撮像素子の画素数が１００万画素以上のメガピクセル化するに伴い、オートフォーカス機能が要求されるようになってきている。こうした携帯電話に搭載されるカメラ用アクチュエータの外形寸法は、例えば、縦約１０ｍｍ、横約１０ｍｍ、厚さ約５ｍｍというような大きさを有している。
【０００３】
従来のカメラ用アクチュエータとしては、特許文献１に開示されているようなものが知られている。従来のカメラ用アクチュエータ１００は、図９に示されるように、内筒部１３１と外筒部１３２を備えた円筒形状のヨーク１３０と、ヨーク１３０の外筒部１３２の内壁に取り付けられているマグネット１４０と、中央位置にレンズユニット１０５を備える合成樹脂製のホルダ１１０と、ホルダ１１０のフランジ１１０ｂに装着されているコイル１２０と、ヨーク１３０が装着されている合成樹脂製のベース１８５と、ベース１８５を支える合成樹脂製のフレーム１８０と、ホルダ１１０を支持する２枚の板バネ１６０Ｕ、１６０Ｌとを備えている。
【０００４】
さらに、板バネ１６０Ｕの上部には上カバー１０２が、また板バネ１６０Ｌの下部には下カバー１０３が設けられている。この上カバー１０２の断面形状は、上方に延出する筒状の形状を有しており、ホルダ１１０が上方に移動した際、ホルダ１１０の上端部である１１０ａと外部の物体（図示せず）との接触を防止している。
【０００５】
ホルダ１１０は、ヨーク１３０の内筒部１３１によって形成される挿通孔に挿入されている。また、２枚の板バネ１６０Ｕ、１６０Ｌは同一形状の部品であり、ホルダ１１０を上下から挟むように支持し、ホルダ１１０を上下方向に移動可能に支持するように配置されている。また、２枚の板バネ１６０Ｕ、１６０Ｌは、コイル１２０の給電経路としての機能を有している。
【０００６】
この従来のカメラ用アクチュエータ１００では、コイル１２０に印加される電流と２枚の板バネ１６０Ｕ、１６０Ｌの復元力との釣り合いによってホルダ１１０に装着されたレンズユニット１０５の移動量が制御されている。図１０は、コイル１２０に電流が供給され、ホルダ１１０が上方に移動した状態が示されている。
【０００７】
【特許文献１】特開２００４−２８００３１
【発明の開示】
【発明が解決しようとする課題】
【０００８】
上記のカメラ用アクチュエータ１００は、ホルダ１１０の上方への移動は、図１０に示されているように、ヨーク１３０の内筒部１３１の下端１３１ａと、ホルダ１１０のフランジ１１０ｂの上面が接触することにより制限されている。
【０００９】
このため、落下等によりカメラ用アクチュエータ１００を搭載している携帯電話等に衝撃が加わると、上記下端１３１ａと上記フランジ１１０ｂの上面が激しく衝突し、レンズユニット１０５や板バネ１６０Ｕ、１６０Ｌにその衝突による衝撃がそのまま伝達されてしまうという問題点がある。
【００１０】
このような衝撃が与えられると、レンズユニット１０５の光軸のズレや、板バネ１６０Ｕ、１６０Ｌの損傷を招く。また、板バネ１６０Ｕ、１６０Ｌの固定部分が損傷を受ける場合もある。
【００１１】
また、上記のカメラ用アクチュエータ１００は、板バネ１６０Ｕの上カバー１０２の断面形状は、上方に延出する筒状の形状を有しており、このアクチュエータ１００の全体の高さをより高くしているという問題点がある。
【００１２】
本発明は上記問題点に鑑み、耐衝撃性に優れると共に、アクチュエータ全体の高さが低いカメラ用アクチュエータを提供することを目的とする。
【課題を解決するための手段】
【００１３】
請求項１記載の発明に係るカメラ用アクチュエータは、カメラの光学系を構成するレンズユニットと、前記レンズユニットを収容すると共にカメラ用アクチュエータの光軸方向に沿って移動可能なホルダと、前記ホルダに設けられているコイルと、前記コイルに磁界を提供するヨーク及びマグネットと、前記ホルダを支持する板バネと、金属板から形成され、前記ホルダを覆うとともに、前記レンズユニットに外光を導入するための開口部が形成されたカバーと、前記カバーとの間に間隙が形成されるように前記ホルダに設けられているストッパとを有し、前記ホルダが急激に変位し前記ストッパと前記カバーとが接触した際に前記カバーが弾性変形するように構成されており、前記カバーは、さらに、カメラ用アクチュエータの組立時に、前記板バネを前記ヨークに対して付勢するように前記板バネ側に傾斜した押え板を備えていることを特徴とする。
【００１４】
請求項２記載の発明に係るカメラ用アクチュエータは、前記ストッパは非磁性体の金属板から形成されていることを特徴とする。
【００１５】
請求項３記載の発明に係るカメラ用アクチュエータは、前記カバー及びストッパはステンレス製金属板から形成されていることを特徴とする。
【００１６】
請求項４記載の発明に係るカメラ用アクチュエータは、前記カバーが、中央部に前記レンズユニットに外光を導入するための前記開口部が形成された略矩形状の上板と、該上板の外側４辺から前記ホルダを覆うように下方に連接される４つの側板と、前記上板の開口部の縁部の一部が下方に切欠かれて形成された切欠き部とを有しており、前記カバーの切欠き部と前記ストッパとの間の間隙には、ゲル状の樹脂がまたがるように付着されていることを特徴とする。
【００１９】
請求項５記載の発明に係るカメラ用アクチュエータは、前記カメラ用アクチュエータが、さらにベースを備え、前記カバーは前記ベースと係合手段により結合されていることを特徴とする。
【発明の効果】
【００２０】
請求項１記載の発明に係るカメラ用アクチュエータは、金属板から形成され、ホルダを覆うように設けられたカバーと、前記カバーとの間に間隙が形成されるように前記ホルダに設けられているストッパとを有し、ホルダが急激に変位しストッパとカバーとが接触した際にカバーが弾性変形することを特徴とする。このため、カメラ用アクチュエータを搭載している携帯電話等に衝撃が加わった際、ストッパがカバーと接触し、カバーが弾性変形することによりカバーが撓み、その衝撃を緩和することができる。さらに、カバーが金属板から形成されているため、カメラ用アクチュエータの全高を低くすることができる。また、カバーが、カメラ用アクチュエータの組立時に、板バネをヨークに対して付勢するように板バネ側に傾斜した押え板を備えているため、板バネを押え板とヨークとの間に非常に堅固に固定することができる。
【００２１】
請求項２記載の発明に係るカメラ用アクチュエータは、ストッパが非磁性体の金属板から形成されていることを特徴とする。このため、カメラ用アクチュエータに衝撃が加わりストッパとカバーが衝突した際、ストッパが備えている弾性によりストッパが撓み、このような衝撃を緩和することができる。また、ストッパは非磁性体であるため、ヨーク及びマグネットにより形成されている磁界へ影響を与えない。
【００２２】
請求項３記載の発明に係るカメラ用アクチュエータは、カバー及びストッパがステンレス製金属板から形成されていることを特徴とする。ステンレスは非磁性体であるためにヨーク及びマグネットにより形成されている磁界に影響を与えない。
【００２３】
請求項４記載の発明に係るカメラ用アクチュエータは、カバーが、中央部にレンズユニットに外光を導入するための開口部が形成された略矩形状の上板と、該上板の外側４辺からホルダを覆うように下方に連接される４つの側板と、上板の開口部の縁部の一部が下方に切欠かれて形成された切欠き部とを有しており、カバーの切欠き部と前記ストッパとの間の間隙にゲル状の樹脂がまたがるように付着されていることを特徴とする。このため、カバーが設けられているホルダの無用な振動を減衰することができる。このホルダの無用な振動は、コイルへの電流供給によって生じるホルダの望ましくない過剰な移動のほか、カメラ用アクチュエータに外部から加わる衝撃等によって生じるホルダの望ましくない移動により生じるホルダの振動が含まれる。
【００２６】
請求項５記載の発明に係るカメラ用アクチュエータは、さらにベースを備え、カバーはベースと係合手段により結合されている。本発明によれば、係合手段を備えているために、カメラ用アクチュエータの組立容易性が確保される。
【発明を実施するための最良の形態】
【００２７】
以下、本発明に係る実施形態のカメラ用アクチュエータ１について添付図面を参照しつつ詳細に説明する。図１は、本実施形態のカメラ用アクチュエータ１の断面説明図であり、図２は、その分解斜視図である。なお、本明細書において用いられている上及び下という文言は、カメラ用アクチュエータのカバー２が配設されている方向を上、また、ベース９が配設されている方向を下としている。
【００２８】
カメラ用アクチュエータ１は、カメラの光学系を構成するレンズユニット１０と、レンズユニット１０を収容すると共にカメラ用アクチュエータの光軸方向に沿って移動可能なホルダ８と、ホルダ８に設けられているコイル７と、コイル７に磁界を提供するヨーク５及びマグネット６と、ホルダ８を支持する板バネ４１と、ホルダ８を覆うように設けられるとともに金属板から形成されたカバー２と、ホルダ８に設けられるとともにカバー２と間隔を隔てて設けられているストッパ３とを有し、ホルダ８が急激に変位しストッパ３とカバー２とが接触した際にカバー２が弾性変形することを特徴とする。
【００２９】
さらに、カメラ用アクチュエータ１は、補助板バネ４２とベース９とを備えている。なお、レンズユニット１０は、後述するようにホルダ８の中央孔８２内に収容されている。
【００３０】
カバー２は、図３に示すように、ステンレス製の金属板を加工して一体に形成されたものであり、略矩形の上板２１と、上板２１の中央部に設けられている中央孔２２と、上板２１の外側４辺から下方に向かって連設されている４つの側板２３と、各側板２３の下端からカバー２の内側に向かってやや下方に傾斜するように水平方向に延在するように設けられている押え板２４と、側板２３の下方に延在するように設けられている係止片２５とから構成されている。
【００３１】
上板２１に設けられている中央孔２２は、外光をレンズユニット（図示せず）に導入するために設けられており、その縁部２２ａの下方部分は、ホルダ８が最も上方に移動した際に後述するストッパ３の外周縁の上面３１ａと接触するようになっている（図１参照）。
【００３２】
中央孔２２は、縁部２２ａの一部分に設けた切欠き部２２ｂを備えている（図４参照）。この切欠き部２２ｂとストッパ３の樹脂塗着部３１ｂとの間の間隙には、後述するように樹脂２２ｃがまたがるように付着されている。また、この切欠き部２２ｂは、カバー２の上板２１から一段低く設けられている。このため、樹脂２２ｃを付着しても、その樹脂２２ｃが上板２１よりも上方に延出しない。
【００３３】
押え板２４は、図３に示すように、各側板２３の下端からカバー２の内側に向かってやや下方に傾斜するように水平方向に延在するように設けられている。押え板２４がやや下方に向かって傾斜しているのは、後述するように板バネ４１の固定片４１ｄをヨーク５の上面に向かって付勢するためである。また、後述するようにカバー２とベース９が結合された際には、押え板２４は水平方向に延在する。
【００３４】
係止片２５は、その下方部分に係合孔２５ａが形成されている（図２参照）。この係合孔２５ａは、後述するようにベース９の柱部９３ａ〜ｄに設けられている係合突起９４と係止される。
【００３５】
ストッパ３は、図２に示すように、リング状のステンレス製の金属板から形成されている。このストッパ３は、その中央に中央孔３２が形成されている。この中央孔３２の直径は、後述するホルダ８の中央孔８２の直径と略同じ大きさとなっている。また、このストッパ３の外周の直径は、上述したカバー２の中央孔２２の直径よりも大きい。
【００３６】
ストッパ３は、中央孔３２の縁周囲の下面３２ａにおいて、ホルダ８の上端面８１と接着されている。このため、ストッパ３は、ホルダ８と共にカメラ用アクチュエータ１の光軸に沿って移動する。そして、ホルダ８が最も上方に移動した際に、ストッパ３は、上面３１ａにおいて、上記カバー２の縁部２２ａの下方部分と接触する。
【００３７】
ストッパ３の上面３１ａは、図４及び図５に示すように、カバー２の切欠き部２２ｂと対応する位置において、樹脂塗着部３１ｂを有している。この切欠き部２２ｂと樹脂塗着部３１ｂとは、長期に渡り柔軟性を維持することができるＵＶ樹脂等であるゲル状の樹脂２２ｃが塗着されている。この樹脂２２ｃは、図５に示すように、切欠き部２２ｂと樹脂塗着部３１ｂとの間の間隙にまたがるように付着されており、後述するようにホルダ８の無用な振動を減衰する役割を果たす。
【００３８】
図６に示す板バネ４１は、ベリリウム銅合金板から形成されており、外環部４１ａと、連結部４１ｂと、内環部４１ｃと、固定片４１ｄとを有している。図１に示すように内環部４１ｃの下面はホルダ８の上端面８１に接着されており、また、固定片４１ｄはヨーク５の上面とカバー２の押え板２４との間に支持されている。なお、カバー２の押え板２４は、カバー２とベース９が結合される以前には、下方に傾斜するように延在し、カバー２とベース９が結合された際には、固定片４１ｄをヨーク５の上面に押し付けるように付勢する。このため、固定片４１ｄは非常に堅固に固定される。
【００３９】
さらに、この取付け状態において、内環部４１ｃは、外環部４１ａに対し、カメラ用アクチュエータ１の光軸上方に向かって変位した状態となる（図１参照）。このため、板バネ４１は、ホルダ８をカメラ用アクチュエータ１の光軸下方に付勢するように支持している。従って、コイル７に電流が供給されない状態において、ホルダ８はベース９側に付勢された安定した状態で支持されている。
【００４０】
内環部４１ｃは、３本の連結部４１ｂを介して外環部４１ａに支持されている。このため、板バネ４１は、後述する補助板バネ４２と協動してカメラ用アクチュエータ１の光軸を傾斜させることなく、ホルダ８を揺動自在に支持することができる。
【００４１】
図７に示すように、ヨーク５はカメラ用アクチュエータ１の光軸に直交する方向の断面が１２角形状であり、その内壁面に６個の平板状マグネット６を備えている。ヨーク５は、平板状マグネット６と共にカメラ用アクチュエータ１の磁気回路を構成している。ヨーク５は、ヨーク５の下方に設けられているタブ状部５１により、後述する補助板バネ４２を介してベース９のベース本体９１の上面に接着されている（図１及び図２参照）。
【００４２】
図２に示すように、ホルダ８は円筒状の合成樹脂製部材であり、中央孔８２の内部にカメラ用アクチュエータ１の光学系部材を構成するレンズユニット１０を収容している。また、ホルダ８は、ホルダ８の下方に設けられているフランジ８３を有しており、このフランジ８３の上面にコイル７が接着して設けられている。そして、このコイル７はヨーク５及びマグネット６から形成されている磁気回路の磁界に配置されている（図１参照）。
【００４３】
図８に示すように、補助板バネ４２は、板バネ４１と同様にベリリウム銅合金板から形成されており、外環部４２ａと、連結部４２ｂと、内環部４２ｃと、固定片４２ｄとを備えている。内環部４２ｃの下面はホルダ８のフランジ８３の底面に接着されており、また、固定片４２ｄはヨーク５の下面とベース９の上面との間に支持されている。
【００４４】
補助板バネ４２は、コイル７への電流供給を行うために電極片４２ｆと電極片４２ｇを備えている。この補助板バネ４２は、主に板バネ４１と協動してカメラ用アクチュエータ１の光軸を傾斜させることなく、ホルダ８を揺動自在に支持するための部材である。したがって、カバー２、ヨーク５及びベース９は、板バネ４１と補助板バネ４２を介してホルダ８を光軸に直交する方向に位置決めした状態（すなわち、光軸に直交する方向へのホルダ８の変位を制限した状態）で光軸方向に変位可能に支持している。
【００４５】
なお、コイル７の２本のリード線は、電極片４２ｆの半田付け部分４２ｈと電極片４２ｇの半田付け部分４２ｊに半田付けされている。
【００４６】
図２に示すように、ベース９は合成樹脂製の成型品であり、全体が略矩形であり、その中央に中央孔９２を有しているベース本体９１と、ベース本体９１の４つの角部から立設されている柱部９３ａ〜ｄを有している。これら柱部９３ａ〜ｄは、それぞれ係合突起９４を有している。これら係合突起９４は、カメラ用アクチュエータ１の組立時において、カバー２の係止片２５に形成されている各係合孔２５ａと係合される。
【００４７】
以下、本実施形態のカメラ用アクチュエータ１の作用効果を説明する。
このカメラ用アクチュエータ１は、補助板バネ４２の電極片４２ｆ、４２ｇを介してコイル７に印加される電流量と、板バネ４１と補助板バネ４２との復元力との釣り合いによってホルダ８に装着されたレンズユニットのカメラ用アクチュエータ１の光軸方向における移動が制御される。
【００４８】
従って、レンズユニットを備えたホルダ８とコイル７が、ヨーク５及びマグネット６に対して移動し、また、ホルダ８に固定されているストッパ３が、ヨーク５及びマグネット６に対して固定されているカバー２に対して移動する。そして、このホルダ８の支持は、主に板バネ４１によって支持されている。
【００４９】
本実施形態において、カバー２は、ステンレス製の金属板から形成されている。このため、カメラ用アクチュエータ１を搭載している携帯電話等に衝撃が加わった際、ストッパ３外周の縁の上面３１ａがカバー２の中央孔縁部２２ａの下方部分と接触し、カバー２が弾性変形することによりカバー２が撓み、その衝撃を緩和することができる。
【００５０】
さらに、カバー２は、金属板であるため、上板２１を薄く形成することができ、カメラ用アクチュエータ１の全高を低くすることができる。さらに、金属板として非磁性体であるステンレス板を用いたため、ヨーク５及びマグネット６により構成された磁気回路の磁界に影響を与えることがない。なお、カバー２を形成するための金属板は非磁性体であり弾性を有していれば、他の材料、例えば銅合金等を用いることができる。
【００５１】
さらに、カバー２の押え板２４は、やや下方に傾斜するように水平方向に延在して設けられており、カメラ用アクチュエータ１の組立の際、板バネ４１の固定片４１ｄをヨーク５の上面に向かって付勢することができる。このため、板バネ４１の固定片４１ｄは、非常に堅固に固定される。これは、カバー２がステンレス板から形成されているため、押え板２４を傾斜して設けることにより、この押え板２４全体に弾性を与えることができるからである。このように板バネ４１は、押え板２４とヨーク５との間に非常に堅固に固定されるため、板バネ４１をヨーク５に必ずしも接着しなくてもよい。このため、製造コストを低減することができる。
【００５２】
本実施形態のストッパ３は、ステンレス製の金属板から形成されている。このため、カメラ用アクチュエータ１に衝撃が加わりストッパ３とカバー２が衝突した際、ストッパ３が備えている弾性によりストッパ３が撓み、このような衝撃を緩和することができる。さらに、ストッパ３は非常に薄い金属板から形成した部材であるため、これをカメラ用アクチュエータ１が備えることによりアクチュエータ１の全高が高くなることを回避することができる。
【００５３】
また、ストッパ３はカバー２と同様に非磁性体であるため、ヨーク５及びマグネット６により構成された磁気回路の磁界に影響を与えることがない。なお、カバー２と同様、ストッパ３を形成するための金属板は非磁性体であり弾性を有していれば、他の材料、例えば銅合金等を用いることができる。
【００５４】
本実施形態のカバー２の切欠き部２２ｂとストッパ３の樹脂塗着部３１ｂとの間の間隙には、ＵＶ樹脂等であるゲル状の樹脂２２ｃがまたがるように付着されている。この樹脂２２ｃにより、カバー２とストッパ３の両部材が柔軟性を持たせるように結合されている。このため、ストッパ３に固定されているホルダ８の無用な振動を減衰することができる。このホルダ８の無用な振動は、コイル７への電流供給によって生じるホルダ８の望ましくない過剰な移動のほか、カメラ用アクチュエータ１に外部から加わる衝撃等によって生じるホルダ８の望ましくない移動により生じるホルダ８の振動が含まれる。なお、ゲル状の樹脂２２ｃは、長期間に渡り柔軟性を維持できるものであれば、ＵＶ樹脂以外の樹脂を用いることができる。
【００５５】
なお、切欠き部２２ｂはカバー２の上板２１から一段低くなった段部であるため、樹脂２２ｃを付着しても、その樹脂２２ｃが上板２１よりも上方に延出しない。
【００５６】
本実施形態の板バネ４１は、内環部４１ｃが外環部４１ａに対し光軸外側方向に向かって変位した状態で取り付けられている。即ち、この板バネ４１は、カバー２とストッパ３とを離間させる方向に付勢して取り付けられている。このため、コイル７に電流が供給されない状態において、ホルダ８は一方向（ベース９側）に付勢された安定した状態で支持されている。
【００５７】
本実施形態のカバー２とベース９とは、カメラ用アクチュエータ１の組立時において、ベース９に形成されている係合突起９４がカバー２の係止片２５に形成されている各係合孔２５ａが係合することにより結合される。即ち、係合突起９４と係合孔２５ａは、カバー２とベース９との係合手段を構成しカメラ用アクチュエータ１の組立容易性を確保している。さらに、本実施形態のカバー２の押え板２４が下方に傾斜するように設けられており、この押え板２４がヨーク５の上面に対して反発しているため、この係合突起９４と係合孔２５ａとが係合すると、この係合状態は堅固に維持される。
【図面の簡単な説明】
【００５８】
【図１】本発明に係る実施形態のカメラ用アクチュエータ１の断面説明図である。
【図２】図１に示すカメラ用アクチュエータ１の分解斜視図である。
【図３】図１に示すカメラ用アクチュエータ１のカバー２の断面概略図である。
【図４】図１に示すカメラ用アクチュエータ１の平面図である。
【図５】図４に示すＡ−Ａ断面図である。
【図６】図１に示すカメラ用アクチュエータ１の板バネ４１を示す平面図である。
【図７】図１に示すカメラ用アクチュエータ１のヨーク５及びマグネット６を示す底面図である。
【図８】図１に示すカメラ用アクチュエータ１の補助板バネ４２を示す底面図である。
【図９】従来のカメラ用アクチュエータ１００の断面説明図である。
【図１０】図９に示すカメラ用アクチュエータ１００の断面説明図であり、コイル１２０に電流が供給され、ホルダ１１０が上方に移動した状態が示されている。
【符号の説明】
【００５９】
１、１００  カメラ用アクチュエータ
１０、１０５  レンズユニット
２  カバー
２１  カバー上板
２２  カバー中央孔
２２ａ  中央孔縁部
２２ｂ  切欠き部
２２ｃ  樹脂
２３  側板
２４  押え板
２５  係止片
２５ａ  係合孔
３  ストッパ
３１ａ  ストッパ外周縁上面
３１ｂ  樹脂塗着部
３２  中央孔
３２ａ  中央孔縁周囲下面
４１、１６０Ｕ、１６０Ｌ  板バネ
４１ａ、４２ａ  外環部
４１ｂ、４２ｂ  連結部
４１ｃ、４２ｃ  内環部
４１ｄ、４２ｄ  固定片
４２  補助板バネ
４２ｆ、４２ｇ  電極片
４２ｈ、４２ｊ  半田付け部分
５、１３０  ヨーク
５１  タブ状部
６  マグネット
７、１２０  コイル
８、１１０  ホルダ
８１  ホルダ上端面
８２  ホルダ中央孔
８３  フランジ
９、１８５  ベース
９１  ベース本体
９２  中央孔
９３ａ〜ｄ  ベース柱部
９４  係合突起
１０２  上カバー
１０３  下カバー
１１０ａ  ホルダ上端部
１１０ｂ  フランジ
１３１  ヨーク内筒部
１３１ａ  ヨーク内筒部下端
１３２  ヨーク外筒部
１４０  マグネット
１８０  フレーム
【図１】
0004774875.tif 000002
【図２】
0004774875.tif 000003
【図３】
0004774875.tif 000004
【図４】
0004774875.tif 000005
【図５】
0004774875.tif 000006
【図６】
0004774875.tif 000007
【図７】
0004774875.tif 000008
【図８】
0004774875.tif 000009
【図９】
0004774875.tif 000010
【図１０】
0004774875.tif 000011